(57)【特許請求の範囲】
【請求項１】
底板及び蹴込板を備えるキャビネットにおいて、
前記蹴込板は、前記底板の前側に配されており、上端面が前記底板の上面よりも下側に位置しており、
前記底板よりも薄い板状をなし、一面は前記底板の前側且つ前記蹴込板の上側にて前記上面と面一に配されており、前記一面の前端部が前記蹴込板よりも前側に位置している底板延長具を備えることを特徴とするキャビネット。
【請求項２】
左右方向に対面する２枚の側板を更に備え、
前記底板は前記２枚の側板の間に配されており、
前記底板延長具は、
前記一面を有する平板状の底板延長部と、
前記側板に取り付けられる側板取付部と、
前記底板に取り付けられる底板取付部と
を有することを特徴とする請求項１に記載のキャビネット。
【請求項３】
前記底板延長具は、
１枚の金属平板部材を折り曲げてなり、
前記２枚の側板に取り付けられる２個の前記側板取付部を有し、
該側板取付部は、前記底板延長部の左右両端部夫々から立ち上がる平板状をなし、
前記底板取付部は、
前記底板延長部の後端部から前記底板の前端面に沿って垂下する平板状の垂下部分と、
該垂下部分の下端部から前記底板の下面に沿って後側へ突出し、前記底板に取り付けられる平板状の突出部分と
を有することを特徴とする請求項２に記載のキャビネット。
【請求項４】
前後方向に離隔配置された複数本の脚部を有する電気機器が収容され、
前記一面及び前記底板の上面に前記電気機器の前側の脚部及び後側の脚部が載置されるようにしてあることを特徴とする請求項１乃至３の何れか一項に記載のキャビネット。
【発明の詳細な説明】
【技術分野】
【０００１】
本発明は、電気機器を収容するキャビネットに関する。
【背景技術】
【０００２】
台所に設置されたキャビネットには、電気機器が組み込まれることがある（特許文献１，２参照）。
食器洗い乾燥機又はオーブンレンジ等の電気機器は、前側の脚部及び後側の脚部（以下、前脚及び後脚という）を有している。
【０００３】
特許文献１に記載のキャビネット及び電気機器には、夫々蹴込が設けられている。電気機器の前脚及び後脚は、何れも床に載置される。キャビネットの蹴込の奥行きよりも電気機器の蹴込の奥行きの方が長い場合、キャビネットには電気機器の蹴込を覆う蹴込カバーが取り付けられる。
ところで、特許文献１に記載のキャビネットに、蹴込が設けられていない電気機器を組み込んだ場合、電気機器が組み込まれた部分だけ蹴込がないので、意匠上の統一感が損なわれる虞がある。
【０００４】
特許文献２に記載のキャビネットには、蹴込板と、蹴込板の上側に配された底板とに囲まれた蹴込が設けられている。電気機器の前脚及び後脚は、何れもキャビネットの底板に載置される。従って、特許文献２に記載のキャビネットに、蹴込が設けられていない電気機器を組み込んでも、意匠上の問題は生じない。
【先行技術文献】
【特許文献】
【０００５】
【特許文献１】特開平７−２６５２４１号公報
【特許文献２】特許第５３３４８３３号公報
【発明の概要】
【発明が解決しようとする課題】
【０００６】
しかしながら、特許文献２に記載のキャビネットの場合、底板の上面が蹴込板よりも高い位置に配されているので、背が高い電気機器を収容することができない。換言すれば、底板の上面の配置位置（以下、底板の高さという）が高いので、電気機器の収容スペースを十分に確保することができない。
蹴込板の高さを低くすれば底板の高さが低くなるので、電気機器の収容スペースを大きくすることができる。ところが、蹴込板の高さを低くした分だけ蹴込の高さが低くなるので、例えば隣接するキャビネットに蹴込が設けられている場合に、意匠上の統一感が損なわれる虞がある。
【０００７】
本発明は斯かる事情に鑑みてなされたものであり、その主たる目的は、蹴込の高さを犠牲にすることなく収容スペースを増大させることができるキャビネットを提供することにある。
【課題を解決するための手段】
【０００８】
本発明に係るキャビネットは、底板及び蹴込板を備えるキャビネットにおいて、前記蹴込板は、前記底板の前側に配されており、上端面が前記底板の上面よりも下側に位置しており、前記底板よりも薄い板状をなし、一面は前記底板の前側且つ前記蹴込板の上側にて前記上面と面一に配されており、前記一面の前端部が前記蹴込板よりも前側に位置している底板延長具を備えることを特徴とする。
【０００９】
本発明に係るキャビネットは、左右方向に対面する２枚の側板を更に備え、前記底板は前記２枚の側板の間に配されており、前記底板延長具は、前記一面を有する平板状の底板延長部と、前記側板に取り付けられる側板取付部と、前記底板に取り付けられる底板取付部とを有することを特徴とする。
【００１０】
本発明に係るキャビネットは、前記底板延長具は、１枚の金属平板部材を折り曲げてなり、前記２枚の側板に取り付けられる２個の前記側板取付部を有し、該側板取付部は、前記底板延長部の左右両端部夫々から立ち上がる平板状をなし、前記底板取付部は、前記底板延長部の後端部から前記底板の前端面に沿って垂下する平板状の垂下部分と、該垂下部分の下端部から前記底板の下面に沿って後側へ突出し、前記底板に取り付けられる平板状の突出部分とを有することを特徴とする。
【００１１】
本発明に係るキャビネットは、前後方向に離隔配置された複数本の脚部を有する電気機器が収容され、前記一面及び前記底板の上面に前記電気機器の前側の脚部及び後側の脚部が載置されるようにしてあることを特徴とする。
【００１２】
本発明にあっては、底板が蹴込板の後側に配されているので、底板の上面は、蹴込板の上側に配されている従来の底板よりも低い位置に配することができる。つまり、蹴込板の高さ（延いては蹴込の高さ）を低くすることなく、底板の高さを従来よりも低くすることができる。
【００１３】
ただし、この場合には底板を蹴込板よりも前側に延ばすことができないので、底板延長具が配される。
底板延長具は底板よりも薄い板状をなす。底板延長具の一面は、底板の前側且つ蹴込板の上側にて底板の上面と面一に配されている。更に、底板延長具の一面の前端部は、蹴込板よりも前側に位置している。以上の結果、底板の上面及び底板延長具の一面の面積を、従来の底板の上面と同様の広さにすることができる。
【００１４】
本発明にあっては、底板延長部が、側板取付部及び底板取付部を介して側板と底板とに取り付けられている。故に、底板延長具の脱落を抑制することができる。
底板延長具は蹴込板には取り付けられない。従って、先に底板延長具を側板と底板とに取り付け、後から蹴込板を底板延長具と床との間に嵌め込むことができる。このような手順でキャビネットを組み立てる場合、先に蹴込板を配置する場合に比べて、底板延長具を側板及び底板に容易に取り付けることができる。
【００１５】
本発明にあっては、底板延長具が１枚の金属平板部材を折り曲げてなるので、底板延長具の製造が容易である。また、金属平板部材を折り曲げてなる底板延長具は、底板より薄くても、十分な機械的強度を得ることができる。
底板延長具は２枚の側板に取り付けらるので、何れか一方の側板に取り付けられる場合よりも、底板延長具の脱落を抑制することができる。
【００１６】
本発明にあっては、底板延長具の一面及び底板の上面が、電気機器の前脚及び後脚を下側から支持することができる。
【発明の効果】
【００１７】
本発明のキャビネットによる場合、底板の高さを従来よりも低くすることができる。従って、キャビネットの高さ方向の収容スペースを増大させることができる。
しかも、底板の高さを従来よりも低くするために蹴込の高さを犠牲にする必要がない。故に、例えば隣接するキャビネットに蹴込が設けられている場合であっても、意匠上の統一感を損なう虞はない。
蹴込板の前側に底板が存在しない分は、底板延長具で補うことができる。
【図面の簡単な説明】
【００１８】
【図１】本発明の実施の形態に係るキャビネットとしての調理台を含むキッチンキャビネットの構成を略示する斜視図である。
【図２】調理台に設けられている蹴込の構成を略示する断面図である。
【図３】調理台が備える底板延長具の構成を略示する斜視図である。
【発明を実施するための形態】
【００１９】
以下、本発明を、その実施の形態を示す図面に基づいて詳述する。以下の説明では、図において矢符で示す上下、前後、及び左右を使用する。
【００２０】
図１は、本発明の実施の形態に係るキャビネットとしての調理台１１を含むキッチンキャビネット１の構成を略示する斜視図である。
図２は、調理台１１に設けられている蹴込Ｒの構成を略示する断面図である。
図３は、調理台１１が備える底板延長具３の構成を略示する斜視図である。
まず、キッチンキャビネット１の大略を説明する。
キッチンキャビネット１は台所の床Ｆに設置されている。図１に示すように、キッチンキャビネット１は、調理台１１の他、コンロ台１２及びシンク台１３と、蹴込板１４と、図示しないワークトップ（天板）とを備えている。キッチンキャビネット１には、蹴込Ｒが設けられている。
【００２１】
調理台１１は、２枚の側板２１，２１と、各１枚の背板２２、底板２３、及び戸当たり桟２４と、底板延長具３とを備えている。
２枚の側板２１，２１は、左右方向に対面配置されている。各側板２１は矩形平板状をなしている。側板２１の前下隅部には、キッチンキャビネット１に蹴込Ｒを設けるための切り欠き状部が設けられている。この切り欠き状部の周縁部の形状はＬ字状をなしている。
背板２２、底板２３、及び戸当たり桟２４は、夫々矩形平板状をなしている。背板２２、底板２３、及び戸当たり桟２４は、側板２１，２１間に配されている。
【００２２】
底板２３の厚さは約15mmである。底板２３の高さと側板２１の切り欠き状部の上辺部の高さとは同じである。底板２３の前端面の前後方向の配置位置は、側板２１の切り欠き状部の後辺部よりも後側である。
戸当たり桟２４は、側板２１，２１の前端部における上端部同士を連結している。
【００２３】
調理台１１は、側板２１，２１、背板２２、及び戸当たり桟２４に囲繞された上部が開放されている。調理台１１は、側板２１，２１、底板２３、及び戸当たり桟２４に囲繞された前部が開放されている。
調理台１１の上段には図示しない抽斗が収容され、下段には電気機器４が収容される（図２参照）。抽斗の前板の上端部は、抽斗が調理台１１に収容された場合に、図示しないパッキン部材を介して戸当たり桟２４に当接する。調理台１１に収容された抽斗及び電気機器４は、調理台１１の前部の開放部分を閉鎖する。
【００２４】
コンロ台１２は、調理台１１の左側に隣接している。コンロ台１２は、左右方向に対面する２枚の側板１２１，１２１と、側板１２１，１２１間に配された背板１２２及び底板１２３等を備える。コンロ台１２は、前部及び上部が開放されている。
コンロ台１２には、左右方向に離隔並置される２個の抽斗と、２個の抽斗間に配されるビルトイン型のグリル付きコンロと、これらの下側に配される抽斗とが収容される（各不図示）。コンロ台１２に収容された抽斗とグリル付きコンロとは、コンロ台１２の前部の開放部分を閉鎖する。
【００２５】
各側板１２１の前下隅部には、キッチンキャビネット１に蹴込Ｒを設けるための切り欠き状部が設けられている。この切り欠き状部の形状、及び上下前後方向の寸法は、側板２１の切り欠き状部と同じである。
底板１２３の高さと側板１２１の切り欠き状部の上辺部の高さとは同じである。底板１２３の前端面の前後方向の配置位置は、側板１２１の切り欠き状部と同じである。
【００２６】
シンク台１３は、調理台１１の右側に隣接している。シンク台１３は、左右方向に対面する２枚の側板１３１，１３１と、側板１３１，１３１間に配された背板１３２及び底板１３３等を備える。シンク台１３は、前部及び上部が開放されている。
シンク台１３には、図示しない抽斗が収容される。シンク台１３に収容された抽斗は、シンク台１３の前部の開放部分を閉鎖する。
【００２７】
各側板１３１の前下隅部には、キッチンキャビネット１に蹴込Ｒを設けるための切り欠き状部が設けられている。この切り欠き状部の形状、及び上下前後方向の寸法は、側板２１の切り欠き状部と同じである。
底板１２３の高さと側板１２１の切り欠き状部の上辺部の高さとは同じである。底板１２３の前端面の前後方向の配置位置は、側板１２１の切り欠き状部と同じである。
【００２８】
なお、キッチンキャビネット１は、左側の側板２１と右側の側板１２１とに替えて、調理台１１及びコンロ台１２に共通の１枚の側板を備えていてもよく、右側の側板２１と左側の側板１３１とに替えて、調理台１１及びシンク台１３に共通の１枚の側板を備えていてもよい。
【００２９】
キッチンキャビネット１のワークトップは、調理台１１、コンロ台１２、及びシンク台１３が共有する。調理台１１、コンロ台１２、及びシンク台１３夫々の上部の開放部分は、ワークトップによって閉鎖される。
蹴込板１４は、調理台１１、コンロ台１２、及びシンク台１３が共有する。蹴込板１４は左右方向に長い平板状部材であり、側板２１，２１、側板１２１，１２１、及び側板１３１，１３１夫々の切り欠き状部に亘って配されている。蹴込板１４の左右方向の長さは、左側の側板２１から右側の側板１３１までの長さと同じである。
【００３０】
蹴込板１４の下端面は床Ｆに接触している。蹴込板１４の高さは、側板２１の切り欠き状部の高さと概ね同じであるが、床Ｆの不陸を吸収するために、側板２１の切り欠き状部の高さよりも短めにしてある。本実施の形態では、蹴込板１４の高さと側板２１の切り欠き状部の高さとの差は約３mmである。
蹴込板１４の後面は、側板２１，２１、側板１２１，１２１、及び側板１３１，１３１夫々の切り欠き状部の後辺部に接触している。
【００３１】
また、調理台１１においては、蹴込板１４の後面は、底板２３に適長離隔して対面配置されている。つまり、底板２３は蹴込板１４の後側に配されており、底板２３と蹴込板１４との間に空隙が設けられている。この空隙の前後方向の長さは約３mmである。蹴込板１４は底板２３の前側に配されており、上端面が底板２３の上面よりも下側に位置している。
【００３２】
一方、コンロ台１２及びシンク台１３においては、蹴込板１４の後面は、底板１２３，１３３夫々の前端面に接触している。つまり、底板１２３，１３３夫々は蹴込板１４の後側に配されており、底板１２３，１３３と蹴込板１４との間に無用な空隙は設けられていない。コンロ台１２（及びシンク台１３）における蹴込Ｒは、蹴込板１４と、コンロ台１２（及びシンク台１３）に収容された抽斗の底板とに囲まれている。
なお、底板１２３，１３３夫々は蹴込板１４の上側に配されていてもよい。この場合、底板１２３，１３３夫々の前端部の前後方向の配置位置は蹴込板１４よりも前側であってもよい。このとき、コンロ台１２及びシンク台１３における蹴込Ｒは、蹴込板１４と底板１２３，１３３とに囲まれている。
【００３３】
蹴込板１４の厚さは、側板２１の切り欠き状部の前後方向の長さよりも短い。従って、蹴込板１４の前面の前後方向の配置位置は、側板２１の最前端部よりも後ろ側である。
【００３４】
図２及び図３に示すように、底板延長具３は、底板延長部３１と、２個の側板取付部３２，３２と、底板取付部３３とを有する。
底板延長具３は、図示しない１枚の金属平板部材（例えば鉄板）を折り曲げてなる。この金属平板部材の厚さは約３mmである。つまり、底板延長具３が有する各部の厚さは約３mmであり、底板２３よりも薄い。
【００３５】
底板延長部３１は左右方向に長い平板状をなし、上下方向に面している。底板延長部３１は、底板２３の前側且つ蹴込板１４の上側に配されている。底板延長部３１の上面は、底板２３の上面と面一である。底板延長部３１の後端部は底板２３の前端面に接触している。底板延長部３１の前端部の前後方向の配置位置は、側板２１の最前端部と同じ（即ち、蹴込板１４の前面よりも前側）である。
調理台１１における蹴込Ｒは、蹴込板１４と底板延長部３１とに囲まれている。
底板延長部３１の下面は、蹴込板１４の上端面に接触していてもよいが、蹴込板１４の上端面から離隔していても特段の問題はない。
なお、底板延長部３１の前端部にはカール曲げ加工が施してあってもよい。この場合、底板延長部３１の機械的強度が向上する。
【００３６】
側板取付部３２，３２は夫々矩形平板状をなし、左右方向に面している。側板取付部３２，３２は、底板延長部３１の左右両端部から立ち上がっている。各側板取付部３２には２個の貫通孔３２１，３２１が前後方向に並設されている。側板取付部３２は、貫通孔３２１，３２１に挿通されたビスＢ，Ｂを用いて、側板２１にビス留めされている。側板２１に対する側板取付部３２の配置位置は、側板２１の切り欠き状部の上側である。
なお、貫通孔３２１の個数は１個でも３個以上でもよい。
【００３７】
底板取付部３３は、垂下部分３３１と突出部分３３２とを有する。
垂下部分３３１は矩形平板状をなし、前後方向に面している。垂下部分３３１は底板延長部３１の後端部から垂下しており、垂下部分３３１の前面及び後面は、蹴込板１４の後面及び底板２３の前端面に接触している。
突出部分３３２は矩形平板状をなし、上下方向に面している。突出部分３３２は垂下部分３３１の下端部から後側へ突出しており、底板２３の下面に接触している。突出部分３３２には３個の貫通孔３３３，３３３，…が左右方向に並設されている。突出部分３３２は、貫通孔３３３，３３３，…に挿通されたビスＢ，Ｂ，…を用いて、底板２３の下面前端部にビス留めされている。
なお、貫通孔３３３の個数は３個に限定されない。また、貫通孔３３３，３３３，…が左右方向に一列に並設される構成に限定されず、例えば千鳥配置される構成でもよい。
【００３８】
底板延長具３は、調理台１１、コンロ台１２、及びシンク台１３に蹴込板１４が取り付けられる前に、調理台１１の側板２１，２１及び底板２３に取り付けられる。底板延長具３は蹴込板１４には取り付けられていないが、側板２１，２１及び底板２３に取り付けられているので、脱落する虞はない。特に、底板延長部３１が蹴込板１４に接触している場合には、底板延長具３が蹴込板１４によって下側から支持されるので、底板延長具３の脱落が更に確実に抑制される。
仮に、蹴込板１４を先に取り付けてしまうと、底板２３に対する底板延長具３の取り付けが不可能になる。
【００３９】
図２に示すように、電気機器４は、筐体４０と、筐体４０を支持する各２本の前脚４１，４１及び後脚４２，４２とを備えている。電気機器４は例えば食器洗い乾燥機である。電気機器４には蹴込Ｒは設けられていない。
前脚４１，４１は、底板延長部３１の上面に載置されている。
後脚４２，４２は、底板２３の上面に載置されている。
【００４０】
以上のようなキッチンキャビネット１の場合、調理台１１に設けられている蹴込Ｒの高さとコンロ台１２及びシンク台１３夫々に設けられている蹴込Ｒの高さとが同じであるので、キッチンキャビネット１の意匠上の統一感を損なうことなく、蹴込Ｒが設けられていない電気機器４を収容することができる。
【００４１】
底板２３及び底板延長部３１夫々の高さは、蹴込板１４の高さよりも数mm高い程度である。
つまり、底板２３を蹴込板１４の後側に配置することによって、底板２３の上面の高さを適宜に低くすることができる。この結果、調理台１１の高さ方向の収容スペースを増大させることができる。
【００４２】
蹴込板１４の上側及び前側には底板２３は存在しない。しかしながら、底板延長部３１が、蹴込板１４の上側及び前側に底板２３が存在する場合と同様の機能を果たす。従って、蹴込板１４の上側及び前側に底板２３が存在する場合と同様に、物品（具体的には前脚４１，４１）を載置するスペースを確保することができる。
底板延長部３１は底板２３よりも薄いが、金属平板部材を折り曲げてなるので、底板延長部３１の機械的強度は前脚４１，４１の載置に十分に耐える程度に高い。
【００４３】
仮に、底板２３を蹴込板１４の上側に配置している場合、底板２３の前後方向の長さを側板２１の最前端部まで延長することができるので、底板延長具３は不要である。しかしながら、底板２３の高さが蹴込板１４の高さよりも１cm以上高くなるので、調理台１１の高さ方向の収容スペースが狭くなる。この結果、調理台１１に収容可能な電気機器のサイズが電気機器４よりも小さくなる。
【００４４】
この問題を解消するために、側板２１，２１間に配されている蹴込板１４の上辺部を部分的に切り欠くことによって底板２３の高さを下げれば、調理台１１に電気機器４を収容することは可能である。しかしながら、調理台１１に設けられた蹴込Ｒの高さがコンロ台１２及びシンク台１３夫々に設けられた蹴込Ｒよりも低くなるので、意匠上の統一感が損なわれる。
【００４５】
なお、底板延長具３は、左側の側板取付部３２、並びに、底板延長部３１及び底板取付部３３夫々の左半分を有する左側パーツと、右側の側板取付部３２、並びに、底板延長部３１及び底板取付部３３夫々の右半分を有する右側パーツとに分かれていてもよい。この場合、底板延長具３の製造後に、側板２１，２１間の距離が延長されたとしても、左側パーツと右側パーツとを離隔配置することによって、底板延長具３を利用することができる。
とはいえ、本実施の形態のように左右両側の側板２１，２１に側板取付部３２，３２が取り付けられる構成の方が、底板延長具３の脱落又は位置ずれなどを、より確実に抑制することができる。
【００４６】
底板延長具３は、側板２１，２１及び底板２３の全てに取り付けられている構成に限定されず、また、蹴込板１４に取り付けられてもよい。
底板延長具３は、金属平板部材の折り曲げ以外の手法で製造されてもよい。しかしながら、金属平板部材の折り曲げは簡易であり、互いに寸法が異なる金属平板部材を準備すれば、互いに寸法が異なる底板延長具３，３，…を容易に製造することができる。
電気機器４の脚部は３本以下でもよく、５本以上でもよい。また、電気機器４は脚部を有していなくてもよい。調理台１１に収容される電気機器４は、底板延長具３に非接触でもよい。調理台１１には抽斗及び電気機器４以外が収容されてもよい。
【００４７】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、調理台１１に、実施の形態に開示されていない構成要素が含まれていてもよい。
【符号の説明】
【００４８】
１１    調理台（キャビネット）
１４    蹴込板
２１    側板
２３    底板
３      底板延長具
３１    底板延長部
３２    側板取付部
３３    底板取付部
３３１  垂下部分
３３２  突出部分
４      電気機器
４１    前脚（前側の脚部）
４２    後脚（後側の脚部）
【図１】
0006445371.tif 000002
【図２】
0006445371.tif 000003
【図３】
0006445371.tif 000004